(57)【要約】【課題】散歩時の飼い犬の糞取り用などに携行する、保管や携行などが便利であって、手を汚さずに楽に糞取りをすることができる、作製費用が廉価な使い捨てタイプの簡易スコップを提供する。【解決手段】本発明は、左側面板２と底面板３と右側面板２と上面板４と糊代片５とを、折り目線を介して順に連設して成る、板紙製などの角筒状の簡易スコップであって、左右の側面板２　，２の前方下部と底面板３の前部とに、左右に三角片６　，６を谷折り線ａ　，ａを介して連設した後側面板７を、折り目線ｂ　，ｃ　，ｂを介して区画して設けて、また上面板４の中央後部に、前部が凸状の掻寄せ板８を、凹状の切れ目線ｄを介して区画して設けた簡易スコップである。【選択図】図２
2004024200.tif 000002
【特許請求の範囲】
【請求項１】
左側面板２と底面板３と右側面板２と上面板４と糊代片５とを、折り目線を介して順に連設して成る、板紙製などの角筒状の簡易スコップであって、左右の側面板２　，２の前方下部と底面板３の前部とに、左右に三角片６　，６を谷折り線ａ，ａを介して連設した後側面板７を、折り目線ｂ　，ｃ　，ｂを介して区画して設けて、また上面板４の中央後部に、前部が凸状の掻寄せ板８を、凹状の切れ目線ｄを介して区画して設けたことを特徴とする簡易スコップ。
【発明の詳細な説明】
【０００１】
【発明の属する技術分野】
本発明は、散歩時の飼い犬の糞取り用などに携行する、使い捨てタイプの簡易スコップに関する。
【０００２】
【従来の技術】
従来から、散歩時の飼い犬の糞取り用などに、金属製やプラスチック製の小型スコップなどを携行して、また金属製や竹製の松の葉状挟み具などを携行して、それぞれ糞取りをした後に、ポリエチレン製の小袋などに収容して持帰って、燃やせるごみとして処分することが多かった。
【０００３】
また従来から、飼い犬の散歩時などに、前述した小型スコップや松の葉状挟み具などを携行しないで、拭取り用の塵紙や裏返した紙袋などで、手づかみで糞取りをした後に、ポリエチレン製の小袋などに収容して持帰って、燃やせるごみとして処分することも多かった。
【０００４】
【発明が解決しようとする課題】
ところが従来の、散歩時の飼い犬の糞取り用などに携行する、前述した小型スコップや松の葉状挟み具などについては、手を汚さずに楽に糞取りをすることができるものの、嵩張るために、保管や携行などが不便であって、また糞取りの度に汚れるために、洗浄などが必要で面倒であった。
【０００５】
また従来の、手づかみで糞取りをする、拭取り用の塵紙や裏返した紙袋などについては、保管や携行などが便利であって、安価で使い捨てができるものの、糞取りをする時に手を汚す恐れがあるために、美観上も衛生上も好ましいものではなかった。
【０００６】
そこで、本発明の目的は、散歩時の飼い犬の糞取り用などに携行する、保管や携行などが便利であって、手を汚さずに楽に糞取りをすることができる、作製費用が廉価な使い捨てタイプの簡易スコップを提供することにある。
【０００７】
【課題を解決するための手段】
本発明の簡易スコップは、図１　，図２に示すように、左側面板２と底面板３と右側面板２と上面板４と糊代片５とを、折り目線（　符号がない１点鎖線、以下同じ　）を介して順に連設して成る、板紙製などの角筒状の簡易スコップであって、左右の側面板２　，２の前方下部（　図１では前方右部又は前方左部　）と底面板３の前部とに、左右に三角片６　，６を谷折り線ａ　，ａを介して連設した後側面板７を、折り目線ｂ　，ｃ　，ｂを介して区画して設けて、また上面板４の中央後部に、前部が凸状の掻寄せ板８を、凹状の切れ目線ｄを介して区画して設けたことを特徴とする簡易スコップである。
【０００８】
本発明の簡易スコップは、左側面板２と底面板３と右側面板２と上面板４と糊代片５とを、折り目線を介して順に連設して成る、板紙製などの角筒状の簡易スコップであって、図１に示す無駄が少ない長方形状のブランクの、左側面板２の左端部と糊代片５とを、通常の機械的な貼着工程で、平坦で嵩張らない状態で角筒状に貼着するだけで、保管や携行などが便利であって、作製費用が廉価な使い捨てタイプの、図２Ａに示す簡易スコップを簡単に作製することができる。
【０００９】
また、本発明の簡易スコップは、左右の側面板２　，２の前方下部と底面板３の前部とに、左右に三角片６　，６を谷折り線ａ　，ａを介して連設した後側面板７を、折り目線ｂ　，ｃ　，ｂを介して区画して設けて、また上面板４の中央後部に、前部が凸状の掻寄せ板８を、凹状の切れ目線ｄを介して区画して設けたことによって、平坦で嵩張らない状態で角筒状に貼着した、図２Ａに示す簡易スコップを、図２Ｂに示す角筒状に起して、簡単な手作業で、左右の三角片６　，６を折込んで後側面板７を斜めに固定して、前部が凸状の掻寄せ板８を切離すだけで、手を汚さずに楽に糞取りをすることができる、図２Ｃに示す簡易スコップを簡単に成形することができる。
【００１０】
すなわち、本発明の簡易スコップにおいては、散歩時の飼い犬の糞取り用などに、図２Ａに示す簡易スコップを携行して、その場で角筒状に起して、左右の三角片６　，６を折込んで後側面板７を斜めに固定して、掻寄せ板８を切離して成形した、図２Ｃに示す簡易スコップの底面板３の先端を、図３に示すように、飼い犬の糞などに接近させて、前部が凸状の掻寄せ板８で掻寄せるなどして、手を汚さずに楽に糞取りをすることができる、しかもポリエチレン製の小袋などに、この糞取りをした簡易スコップを、掻寄せ板８と共に収容して持帰って、衛生的に燃やせるごみとして処分することができる、散歩時の飼い犬の糞取り用などに携行する、保管や携行などが便利であって、手を汚さずに楽に糞取りをすることができる、作製費用が廉価な使い捨てタイプの簡易スコップを提供することができる。
【００１１】
加えて、本発明の簡易スコップは、図１　，図２に示すように、左右の側面板２，２の後方上部（　図１では後方左部又は後方右部　）を、斜めに切断したことを特徴とする簡易スコップである。
【００１２】
本発明の簡易スコップにおいては、前述した簡易スコップにおいて、左右の側面板２　，２の後方上部を、斜めに切断したことによって、図２Ｃに示す簡易スコップの底面板３の先端を、図３に示すように、飼い犬の糞などに接近させて、前部が凸状の掻寄せ板８で掻寄せるなどする時に、簡易スコップの左右の側面板２，２の先端上部（　図２Ｂ　，Ｃでは後方上部　）に、この掻寄せ板８が接触する恐れが少ない、さらに楽に糞取りをすることができる簡易スコップを提供することができる。
【００１３】
【発明の実施の形態】
図１は、本発明の実施の形態における、簡易スコップのブランクの平面図である。
また図２Ａ　，Ｂ　，Ｃは、本発明の実施の形態における、簡易スコップを成形する状態を示す斜視図である。
さらに図３は、本発明の実施の形態における、簡易スコップで糞取りをする状態を示す斜視図である。
【００１４】
すなわち、左側面板２と底面板３と右側面板２と上面板４と糊代片５とを、折り目線を介して順に連設して、この左右の側面板２　，２の前方下部（　図１では前方右部又は前方左部　）と底面板３の前部とに、左右に三角片６　，６を谷折り線ａ，ａを介して連設した後側面板７を、折り目線ｂ　，ｃ　，ｂを介して区画して設けて、また上面板４の中央後部に、前部が凸状の掻寄せ板８を、凹状の切れ目線ｄを介して区画して設けて、さらに左右の側面板２　，２の後方上部（　図１では後方左部又は後方右部　）を、斜めに切断した、縦と横と高さとが１５×８×４ｃｍの、図１に示す簡易スコップのブランクであって、簡易スコップを成形する方法や糞取りをする方法などを印刷した、坪量３１０ｇ／ｍ２　のコートボール紙を用いて、通常の打抜型を用いた打抜工程で、無駄が少ない長方形状の、工程が簡単な１枚物の簡易スコップのブランクを作製した。
【００１５】
次に、通常の機械的な貼着工程（　サック貼工程と通称する　）で、図１に示す簡易スコップのブランクの、全ての符号がない１点鎖線で示す折り目線と谷折り線ａ　，ａとを山折りして、左側面板２の左端部と糊代片５とを、平坦で嵩張らない状態で角筒状に貼着して、保管や携行などが便利であって、工程が簡単で作製費用が廉価な使い捨てタイプの、図２Ａに示す簡易スコップを作製した。
【００１６】
続いて、この平坦で嵩張らない状態で角筒状に貼着した、図２Ａに示す簡易スコップを、図２Ｂに示す角筒状に起して、簡単な手作業で、谷折り線ａ　，ａを谷折りして折り目線ｂ　，ｃ　，ｂを山折りして、左右の三角片６　，６を折込んで後側面板７を斜めに固定して、また凹状の切れ目線ｄを切断して、前部が凸状の掻寄せ板８を切離して、図２Ｃに示す簡易スコップを成形した。
【００１７】
本発明の実施の形態における、図２Ｃに示す簡易スコップにおいては、図３に示すように、簡易スコップの底面板３の先端を、飼い犬の糞などに接近させて、前部が凸状の掻寄せ板８で掻寄せるなどして、手を汚さずに楽に糞取りをすることができる、しかもポリエチレン製の小袋などに、この糞取りをした簡易スコップを、掻寄せ板８と共に収容して持帰って、衛生的に燃やせるごみとして処分することができる、加えて左右の側面板２　，２の後方上部を、斜めに切断したことによって、簡易スコップの左右の側面板２　，２の先端上部に、この掻寄せ板８が接触する恐れが少ない、使い捨てタイプの簡易スコップを得ることができた。
【００１８】
【発明の効果】
以上、実施の形態ほかに示すとおり、本発明の簡易スコップにおいては、散歩時の飼い犬の糞取り用などに携行する、保管や携行などが便利であって、手を汚さずに楽に糞取りをすることができる、作製費用が廉価な使い捨てタイプの簡易スコップを提供することができる。
【図面の簡単な説明】
【図１】本発明の実施の形態における、簡易スコップのブランクの平面図である。
【図２】本発明の実施の形態における、図２Ａ　，Ｂ　，Ｃは、簡易スコップを成形する状態を示す斜視図である。
【図３】本発明の実施の形態における、簡易スコップで糞取りをする状態を示す斜視図である。
【符号の説明】
２　　　　…左右の側面板
３　　　　…底面板
４　　　　…上面板
５　　　…糊代片
６　　　　…三角片
７　　　　…後側面板
８　　　　…掻寄せ板
ａ　　　…谷折り線
ｂ　，ｃ　…折り目線
ｄ　　　　…切れ目線
【図１】
2004024200.tif 000003
【図２】
2004024200.tif 000004
【図３】
2004024200.tif 000005
【手続補正書】
【提出日】平成14年7月16日(2002.7.16)
【手続補正１】
【補正対象書類名】図面
【補正対象項目名】全図
【補正方法】変更
【補正の内容】
【図１】
2004024200.tif 000006
【図２】
2004024200.tif 000007
【図３】
2004024200.tif 000008